(57)【要約】      （修正有）【課題】工業用監視システム内の情報を提示するためのシステムおよび方法を提供する。【解決手段】システムは、機械的システムに結合された複数のセンサからの入力を受け取るように構成される工業用モニタを含む。工業用モニタは、少なくとも部分的に受け取った入力に基づいて、動作している機械的システムの複数の測定値を決定するように構成される。システムは、工業用モニタに通信可能に結合される表示デバイスも含む。表示デバイスは、複数のスクリーンを含むユーザインターフェイスを提示するように構成され、複数の測定値のうちの特定の測定値が異常状態を有するとき、各スクリーンは、視覚インジケータを選択的に提示するように構成される。さらに、視覚インジケータは、異常状態を有する特定の測定値を識別する。【選択図】図１
2015032305.tif 000002
【特許請求の範囲】
【請求項１】
機械的システムに結合された複数のセンサからの入力を受け取るように構成される工業用モニタであって、少なくとも部分的に前記受け取った入力に基づいて、動作している前記機械的システムの複数の測定値を決定するように構成される、工業用モニタと、
前記工業用モニタに通信可能に結合される表示デバイスであって、複数のスクリーンを含むユーザインターフェイスを提示するように構成され、前記複数の測定値のうちの特定の測定値が異常状態を有するとき、前記複数のスクリーンの各スクリーンが視覚インジケータを選択的に提示するように構成され、前記視覚インジケータが前記異常状態を有する前記特定の測定値を識別する、表示デバイスと
を備えるシステム。
【請求項２】
前記視覚インジケータが、前記異常状態を有する前記特定の測定値を決定するように構成される前記工業用モニタのチャンネルを識別し、または前記異常状態を有する前記特定の測定値の測定タイプを識別する、請求項１記載のシステム。
【請求項３】
前記視覚インジケータが、前記異常状態の重大度に従って変化する外観を有する、請求項１記載のシステム。
【請求項４】
前記外観が、フォント色、背景色、フォント強調、アニメーション化された強調、枠線強調、記号強調、またはこれらの組合せを含む、請求項３記載のシステム。
【請求項５】
前記視覚インジケータがユーザ入力を受け取るように構成され、前記ユーザ入力を受け取ると、前記特定の測定値に関連する前記複数のスクリーンのうちの特定のスクリーンを提示するように前記表示デバイスが構成される、請求項１記載のシステム。
【請求項６】
前記複数の測定値の前記特定の測定値がもはや前記異常状態を有さないとき、前記複数のスクリーンの各スクリーンが、前記視覚インジケータを隠すように構成される、請求項１記載のシステム。
【請求項７】
前記表示デバイスが前記工業用モニタ、携帯型監視デバイス、またはモバイルコンピューティングデバイス上に配設される、請求項１記載のシステム。
【請求項８】
前記複数のスクリーンの各スクリーンが、各スクリーン上に提示される他のデータを覆い隠さないやり方で、前記視覚インジケータを提示するように構成される、請求項１記載のシステム。
【請求項９】
前記異常状態が、現在警報を発している状態、ラッチされた警報状態、バイパス状態、またはこれらの組合せを含む、請求項１記載のシステム。
【請求項１０】
前記機械的システムが、ガスタービンシステム、蒸気タービンシステム、水力タービンシステム、風力タービンシステム、または工業用オートメーションシステムを備える、請求項１記載のシステム。
【請求項１１】
機械的デバイスに結合された複数のセンサデバイスから入力を受け取るステップと、
前記受け取った入力に基づいて、前記機械的デバイスに関し、複数の測定値を決定するステップと、
ユーザインターフェイスの特定のスクリーンを表示デバイス上に表示するステップであって、前記ユーザインターフェイスが複数のスクリーンを含む、ステップと、
異常状態を有する前記複数の測定値のうちの１つまたは複数の測定値の各々に関し、前記ユーザインターフェイスの前記特定のスクリーン上に対応する視覚インジケータを選択的に提示するステップと
を含む方法。
【請求項１２】
前記視覚インジケータがチャンネル識別部および測定識別部を含む、請求項１１記載の方法。
【請求項１３】
前記１つまたは複数の測定値が前記特定のスクリーン上に図示されない、請求項１１記載の方法。
【請求項１４】
ユーザ入力を受け取るステップと、それに応じて、前記ユーザインターフェイスの異なるスクリーンを表示するステップと、前記異常状態を有する前記複数の測定値のうちの前記１つまたは複数の測定値の各々に関し、前記異なるスクリーン上に前記対応する視覚インジケータを提示するステップとを含む、請求項１１記載の方法。
【請求項１５】
前記異常状態が、現在警報を発している状態、ラッチされた警報状態、バイパス状態、またはこれらの組合せを含む、請求項１１記載の方法。
【請求項１６】
前記視覚インジケータの外観が、フォント色、背景色、アニメーション化された強調、枠線強調、記号強調、またはこれらの組合せを含み、前記外観が、前記異常状態の重大度を図示するように構成される、請求項１１記載の方法。
【請求項１７】
電子デバイスのプロセッサにより実行可能な命令を記憶する、非一時的な、コンピュータ可読媒体であって、前記命令が
機械的システムに関し、前記機械的システムに結合された１つまたは複数のセンサから受け取ったセンサ入力に基づいて、複数の測定値をプロセッサを介して決定する命令と、
表示デバイス上に、ユーザインターフェイスの直視型スクリーンを選択的に提示する命令と、
前記複数の測定値のうちの特定の測定値が異常状態を有すると前記プロセッサが決定したとき、前記直視型スクリーン上に視覚インジケータを提示する命令であって、前記視覚インジケータが前記特定の測定値を識別し、前記特定の測定値の前記異常状態の重大度を示す、命令と
を含む、媒体。
【請求項１８】
前記異常状態の前記重大度が、少なくとも部分的に、前記異常状態、前記異常状態の期間、前記特定の測定値がどれだけ閾値を超えた値に達したのか、またはこれらの組合せに基づく、請求項１７記載の媒体。
【請求項１９】
前記異常状態の前記重大度が、前記視覚インジケータの、フォント色、背景色、フォント強調、アニメーション化された強調、枠線強調、記号強調、またはこれらの組合せを含む、請求項１７記載の媒体。
【請求項２０】
前記特定の測定値の前記異常状態がクリアされたことを前記プロセッサが決定したとき、前記直視型スクリーンから、前記視覚インジケータを取り除く命令を含む、請求項１７記載の媒体。
【発明の詳細な説明】
【技術分野】
【０００１】
本明細書に開示される主題は、資産状況監視システムなどの工業用監視システムに関する。
【背景技術】
【０００２】
資産状況監視システムなどの工業用監視システムは、一般に、様々なタイプの機械的デバイスおよびシステムについて監視する機能を提供する。たとえば、工業用モニタは、ガスタービンシステムの、１つまたは複数の動作パラメータを監視することができる。具体的な例で、工業用監視システムは、ガスタービンシステム全体にわたって配設されるいくつかのセンサ（たとえば、温度センサ、圧力センサ、および流量センサなど）を含む場合がある。そのようなセンサは、工業用監視システムが、少なくとも部分的にこれらのセンサから受け取った入力に基づいて、機械的システムのパラメータを決定することを可能にすることができる。加えて、ある種の工業用監視システムは、監視される機械的システムの決定されたパラメータを（たとえば、オペレータに）提示するために使用することができる、１つまたは複数のグラフィカルユーザインターフェイス（ＧＵＩ）を含み得る。
【先行技術文献】
【特許文献】
【０００３】
【特許文献１】米国特許出願第１３／９５８，５１１号明細書
【発明の概要】
【０００４】
元々、特許請求された発明に整合する範囲のいくつかの実施形態が下に要約される。これらの実施形態は、特許請求される発明の範囲を限定する意図はなく、むしろ、これらの実施形態は、本発明の可能な形態の簡単な要約を提供することだけを意図する。実際に本発明は、以下に記載される実施形態と類似するまたは異なる可能性がある様々な形態を包含することができる。
【０００５】
一実施形態では、システムは、機械的システムに結合された複数のセンサからの入力を受け取るように構成される工業用モニタを含む。工業用モニタは、少なくとも部分的に受け取った入力に基づいて、動作している機械的システムの複数の測定値を決定するように構成される。システムは、工業用モニタに通信可能に結合される表示デバイスも含む。表示デバイスは、複数のスクリーンを含むユーザインターフェイスを提示するように構成され、複数の測定値のうちの特定の測定値が異常状態を有するとき、各スクリーンは、視覚インジケータを選択的に提示するように構成される。さらに、視覚インジケータは、異常状態を有する特定の測定値を識別する。
【０００６】
別の実施形態では、方法は、機械的デバイスに結合された複数のセンサデバイスから入力を受け取るステップと、受け取った入力に基づいて、機械的デバイスに関する複数の測定値を決定するステップとを含む。方法は、ユーザインターフェイスの特定のスクリーンを表示デバイス上に表示するステップも含み、ここで、ユーザインターフェイスは複数のスクリーンを含む。方法は、異常状態を有する複数の測定値のうちの１つまたは複数の測定値の各々に関し、ユーザインターフェイスの特定のスクリーン上に、対応する視覚インジケータを選択的に提示するステップをさらに含む。
【０００７】
別の実施形態では、非一時的な、コンピュータ可読媒体が、電子デバイスのプロセッサにより実行可能な命令を記憶する。命令は、機械的システムに結合された１つまたは複数のセンサから受け取ったセンサ入力に基づいて、機械的システムに関する複数の測定値を、プロセッサを介して決定する命令を含む。命令は、表示デバイス上に、ユーザインターフェイスの直視型スクリーンを提示する命令も含む。命令は、複数の測定値のうちの特定の測定値が異常状態を有するとプロセッサが決定したとき、直視型スクリーン上に視覚インジケータを選択的に提示する命令をさらに含み、ここで、視覚インジケータは、特定の測定値を識別し、特定の測定値の異常状態の重大度を示す。
【０００８】
本発明のこれらおよび他の特徴、態様、および利点は、添付の図面を参照して、以下の詳細な説明を読めばより良く理解され、図面中では、図面の全体にわたって同様の記号が同様の部品を表している。
【図面の簡単な説明】
【０００９】
【図１】監視システムのいくつかの入力および出力を含む、工業用監視システムの実施形態を示す図である。
【図２】モジュール式の資産状況モニタならびにモニタと通信する他のデバイスの実施形態を示す図である。
【図３】グラフィカルユーザインターフェイス（ＧＵＩ）を表示するためのスクリーンを含む、図２のモジュール式の資産状況モニタのモジュールの実施形態の斜視図である。
【図４】ＧＵＩを表示するためのスクリーンを含む、携帯型監視デバイスの実施形態の斜視図である。
【図５】ＧＵＩを表示するためのスクリーンを含む、携帯型コンピューティングデバイスの実施形態の斜視図である。
【図６】ＧＵＩの実施形態用のいくつかのスクリーンを示す図である。
【図７】特定の測定値に対応し、１つまたは複数の測定値が異常状態を経験していることを表す視覚インジケータを含む、ＧＵＩの直視型スクリーンの実施形態のスクリーン表示である。
【図８】異常状態の重大度を伝えるために、視覚インジケータがフォント色強調を含む、図７の直視型スクリーンの実施形態のスクリーン表示である。
【図９】異常状態の重大度を伝えるために、視覚インジケータが背景色強調を含む、図７の直視型スクリーンの実施形態のスクリーン表示である。
【図１０】異常状態の重大度を伝えるために、視覚インジケータがチャンネル名およびフォント強調を含む、図７の直視型スクリーンの実施形態のスクリーン表示である。
【図１１】異常状態の重大度を伝えるために、視覚インジケータが枠線強調を含む、図７の直視型スクリーンの実施形態のスクリーン表示である。
【図１２】異常状態の重大度を伝えるために、視覚インジケータがアニメーション化された強調を含む、図７の直視型スクリーンの実施形態のスクリーン表示である。
【図１３】異常状態の重大度を伝えるために、視覚インジケータが記号強調を含む、図７の直視型スクリーンの実施形態のスクリーン表示である。
【図１４】異常状態を経験している測定用の、直視型スクリーンの実施形態のスクリーン表示である。
【図１５】異常状態が解消された後の図１４の直視型スクリーンの実施形態のスクリーン表示である。
【発明を実施するための形態】
【００１０】
本発明の１つまたは複数の特定の実施形態が、以下で記載される。これらの実施形態の簡潔な記載を提供しようとして、実際の実装の全ての特徴を明細書には記載しない場合がある。任意のエンジニアリングプロジェクトまたは設計プロジェクト内のように、任意のそのような実際の実装形態の開発では、多くの実装形態固有の決定を行って、実装形態ごとに異なる可能性がある、システム関連の制約およびビジネス関連の制約に適合するなどの、開発者の特定の目的を達成しなければならないことを理解されたい。さらに、そのような開発努力は、複雑で時間がかかる場合があるが、それにもかかわらず、この開示から恩恵を被る当業者にとって、設計、製作、および製造を請け負う日常業務であることを理解されたい。
【００１１】
本発明の様々な実施形態の要素を導入するとき、冠詞「ａ」、「ａｎ」、「ｔｈｅ」、および「ｓａｉｄ」は、複数の要素の１つまたは複数が存在することを意味することが意図される。用語「備える（ｃｏｍｐｒｉｓｉｎｇ）」、「含む（ｉｎｃｌｕｄｉｎｇ）」、および「有する（ｈａｖｉｎｇ）」は、包括的であることを意図しており、リスト化された要素以外に追加の要素が存在する可能性があることを意味する。
【００１２】
上に記載のように、工業用監視システムは、概して、ターボ機械システム、発電システム、ガス化システム、または化学製品製造システムなどの、機械的デバイスまたはシステムの１つまたは複数の動作パラメータを監視することを可能にする。たとえば、開示された実施形態は、ガスタービンシステム、ストリームタービンシステム、複合サイクルシステム、発電所、またはこれらの任意の組合せとともに使用する、または組み込むことができる。工業用監視システムは、機械的デバイスの部分に結合されるいくつかのセンサを含み、動作期間に機械的デバイスの態様を測定することができる。これらのセンサとしては、温度センサ、圧力センサ、流量センサ、隙間センサ、近接センサ、火炎センサ、ガス組成センサ、振動センサ、電流センサ、電圧センサ、他の好適なセンサ、またはこれらの組合せが挙げられる。したがって、工業用モニタは、いくつかのチャンネルを含むことができ、その各々が、１つまたは複数のセンサからの入力を受け取り、機械的デバイスまたはシステムに関する１つまたは複数の測定値を決定することができる。さらに、工業用モニタは、少なくとも部分的に、１つまたは複数の所定の閾値に対する各測定値の値に基づいて、各状況または測定値に関し、適切な状態を決定することができる。
【００１３】
そのため、本実施形態は、工業用監視システムがグラフィカルユーザインターフェイス（ＧＵＩ）をオペレータに表示することを可能にするために、（たとえば、工業用モニタ、ワークステーション、携帯型監視デバイス、スマートフォンデバイス、または別の好適なデバイス上に配設される）１つまたは複数の表示デバイスを含む工業用監視システムを対象にしている。さらに、ＧＵＩは、たとえば工業用モニタのチャンネルの名前、ならびに各チャンネルにより収集された測定値を表示するための様々なスクリーンを含むことができる。工業用監視システムの表示デバイスは、限定された寸法を有する場合があり、このことがひいては、情報を表示するため使用可能なスクリーン空間を限定する場合がある。
【００１４】
したがって、本実施形態は、下で詳細に議論され、概して、表示デバイス上に表示されるＧＵＩの各スクリーンにより伝えられる情報の量を最大化することを対象とする、特徴を含む。本実施形態は、たとえば、１つまたは複数の視覚効果または合図を使用して、工業用モニタの各チャンネルに関する複合した測定状態をオペレータに伝えることができる。このことによって、たとえば、オペレータがＧＵＩのいくつかのスクリーンにわたってナビゲートして同様の決定をする必要なしに、１つまたは複数のチャンネルが異常状態（たとえば、現在警報を発している状態、またはラッチされた警報状態）の測定値を含むことをオペレータが決定することを可能にすることができる。したがって、本実施形態は、監視される機械的デバイスまたはシステム内の問題（たとえば、１つまたは複数の異常測定状態）をオペレータがより迅速に識別し対処することを可能にすることができる、効果的なＧＵＩを提供する。
【００１５】
上記のことを念頭に置いて、図１は、ガスタービンシステム１２の様々な動作パラメータを監視するための、工業用監視システム１０を示す。ガスタービンシステム１２が監視される機械的システムの１つの例として提供されるが、他の実施形態では、工業用監視システム１０は、任意の機械的デバイスまたは機械的システムの動作パラメータを監視するために使用できることが理解されよう。たとえば、工業用監視システム１０を使用して、軸流圧縮機、スクリュー圧縮機、ギヤ、ターボエキスパンダ、水平および垂直渦巻ポンプ、電気モータ、発電機、ファン、送風機、攪拌機、ミキサ、遠心機、パルプ精製機、ボールミル、粉砕機、微粉砕機、押出機、ペレタイザ、冷却塔、熱交換機、または他の好適な機械的デバイスの動作パラメータを監視することができる。さらに、工業用監視システム１０を使用して、（たとえば、蒸気タービンシステム、水力タービンシステム、風力タービンシステム、反応炉、ガス化装置、ガス処理システム、工業用オートメーションシステム、または他の好適な機械的システムといった）より大きい機械的システムの１つまたは複数の機械的デバイスを測定することができる。
【００１６】
図１に示された工業用監視システム１０は、少なくとも１つのプロセッサ１６およびメモリ１８を含み、以降ではモニタ１４と呼ばれる、資産状況モニタ１４を含む。図１に示されたモニタ１４は、隙間センサまたは近接プローブ２０、速度変換器２２、加速度計２４、振動または地震センサ２６、圧力センサ２８、温度センサ３０、および回転速度センサ３２を含む、いくつかのセンサに結合される。センサ２０、２２、２４、２６、２８、３０、および３２は単に例として提供されており、機械的デバイスまたはシステム（たとえば、ガスタービンシステム１２）の動作および性能に関連する測定を実施するのに好適な任意の他のセンサ（たとえば、流量センサ、ガス組成センサ、磁場センサ、火炎センサ、電流センサ、電圧センサなど）を使用できることを理解されたい。
【００１７】
図１に示されるように、モニタ１４に通信可能に結合される様々なセンサ２０、２２、２４、２６、２８、３０、および３２は、プロセッサ１６およびメモリ１８を使用して、モニタ１４が監視される機械的システム（たとえば、ガスタービンシステム１２）の１つまたは複数の動作パラメータを決定することができるように、モニタ１４に入力を提供することができる。たとえば、図示されたモニタ１４は、１つまたは複数の回転速度センサ３２から、ガスタービンシステム１２のシャフトの回転速度の測定値からの入力を受け取ることができ、１つまたは複数の回転速度センサ３２、ならびにガスタービンシステム１２に機能的に結合された他のセンサから受け取った入力に基づいて、動作パラメータ（たとえば、シャフトの回転率、ガスタービンシステム１２の電力出力もしくは負荷、または任意の他の好適な動作パラメータ）を決定することができる。下で詳細に記載されるように、特定の実施形態では、監視される機械的システムの各動作パラメータは、モニタ１４の単一のチャンネルにより決定することができ、モニタ１４の各チャンネルは、動作パラメータを決定するために、１つまたは複数の測定値を（たとえば、センサ２０、２２、２４、２６、２８、３０、および３２から受け取った入力に基づいて）決定できることが理解されよう。
【００１８】
図１は、センサ２０、２２、２４、２６、２８、３０、および３２から受け取った様々な入力に基づいてモニタ１４により決定（たとえば、計算、または推定）することができる、監視される機械的システム（たとえば、ガスタービンシステム１２）のいくつかの例示的な動作パラメータを示す。図１に示される実施形態に関し、モニタ１４は、ガスタービンシステム１２またはその任意の構成要素（たとえば、圧縮機、シャフト、ポンプ、バルブなど）の、径方向の振動３４、径方向の位置３６、軸方向の位置３８、偏心率４０、地震振動４２、シャフト位置４４、伸び差４６、回転子速度４８、回転子加速度５０、温度５２、および／または任意の他の好適な動作パラメータを決定することができる。たとえば、モニタ１４は、プロセッサ１６およびメモリ１８を使用し、１つまたは複数の近接プローブ２０からの入力を処理して、ガスタービンシステム１２のタービン部のケーシングの伸び差４６を決定することができる。さらなる例で、モニタ１４は、１つまたは複数の回転速度センサ３２および／または１つまたは複数の加速度計２４からの入力を処理し、ガスタービンシステム１２のシャフトの回転子加速度５０を決定することができる。
【００１９】
特定の実施形態では、いくつかのモニタ（たとえば、モニタ１４）がモジュール式に組み合わされ、モジュール式監視システムを形成することができる。たとえば、図２に示され、以降では監視システム６０と呼ばれる、モジュール式資産状況監視システム６０は、監視システム６０の動作期間に特定の機能を実施するために好適ないくつかのモジュールを含む。たとえば、図２に示される監視システム６０の実施形態では、電源モジュール６１は、交流（ＡＣ）または直流（ＤＣ）電力を受け取ることができ、監視システム６０に電力を提供するために、任意の好適な電力変換を実施することができる。他の実施形態では、電源モジュール６１は、モジュール式資産状況監視システム６０のモジュールでない場合があり、そうではなく、モジュール式資産状況監視システム６０に結合される別個の構成要素である場合がある。図示される監視システム６０は、構成、表示、状況および監視ソフトウェアならびに外部制御システムへのモニタの主インターフェイスを提供することができる、システムモニタまたは一時的データインターフェイス（ＴＤＩ）６２も含む。たとえば、ＴＤＩ６２は、好適な通信プロトコルをサポートして、監視システム６０を他の監視システム６４、制御システム６６（たとえば、プロセス制御システム、ヒストリアン、ならびに他のプラント制御およびオートメーションシステム）、コンピュータワークステーション６８、携帯型監視デバイス７０、携帯型コンピューティングデバイス７２、および／または他の好適なデバイスに通信可能に結合することができる。
【００２０】
電源モジュール６１およびＴＤＩ６２に加えて、図２に示される監視システム６０は、いくつかの他のモジュール、すなわち、各々が図１の資産状況モニタ１４の実施形態である、モニタモジュール７４、７６、７８、および８０も含む。すなわち、各モニタモジュール７４、７６、７８、および８０は、様々なセンサ（たとえば、図１のセンサ２０、２２、２４、２６、２８、３０、および／または３２）からの入力を受け取り、処理して、監視される機械的デバイスまたはシステム（たとえば、ガスタービンシステム１２）の１つまたは複数の動作パラメータを決定するように構成される、それぞれのプロセッサ１６およびメモリ１８を含むことができる。たとえば、モニタモジュール７４は、いくつかのチャンネル（たとえば、４、５、６、８、１０、１２、１６、１８、２０、または別の好適な数のチャンネル）を含むことができ、その各々がいくつかのセンサから入力を受け取って、機械的システムの径方向の振動３４、径方向の位置３６、軸方向の位置３８、偏心率４０、伸び差４６、回転子速度４８、回転子加速度５０、または別の好適な動作パラメータのうちの１つを決定することができる。具体的な例で、モニタモジュール７６は４つのチャンネルを含む場合があり、その各々がいくつかのセンサから入力を受け取り、または筐体の伸びもしくは他のタイプの伸び差（たとえば、標準的な単一傾斜伸び差、非標準的な単一傾斜伸び差、２重傾斜伸び差、相補的な伸び差）、軸方向の位置３８、および他の位置の測定値（たとえば、バルブ位置）のうちの１つを決定することができる。さらなる例で、モニタモジュール７８は、特定の実施形態では６個のチャンネルを含み、各々が、監視される機械的システムの部分の、特定の温度５２の監視専用にされる。
【００２１】
したがって、モニタモジュールの各チャンネルは、いくつかのセンサ（たとえば、センサ２０、２２、２４、２６、２８、３０、および／または３２）からのいくつか（たとえば、１〜５００、１〜１００、１〜５０、または１〜２０）の入力を受け取って、機械的システムの動作パラメータを決定することができる。各チャンネルは、機械的システムに関する全体的な動作パラメータの値を決定する途中で、受け取ったセンサ入力に基づいて決定することができる、いくつか（たとえば、１、２、４、５、６、７、８、または別の好適な数）の基礎となる測定値を含むことができることをさらに理解されよう。たとえば、４つのチャンネルのモニタモジュール（たとえば、モニタモジュール７４）の実施形態は、機械的システムの４つの動作パラメータを決定することができるが、特定の実施形態では、各チャンネルが８個の測定値を含む場合があるので、そのような４つのチャンネルのモニタは、実際には、センサ入力から３２個までの別個の測定値を決定することができる。具体的な例で、特定の実施形態では、径方向の振動チャンネルは、基本全体（直接）振動振幅、ギャップ電圧、フィルタ処理済み振幅（たとえば、１×フィルタ処理済み振幅および２×フィルタ処理済み振幅）、フィルタ処理済み位相（たとえば、１×フィルタ処理済み位相および２×フィルタ処理済み位相）、ＮＯＴ１×振幅、およびＳｍａｘ（たとえば、最大位相）を含む、８個までの測定値を決定することができる。さらに、アラーム閾値は、各チャンネルにより決定される各測定値について別個に設定することができる（たとえば、アラーム状況を回避するために、Ｓｍａｘが閾値未満を維持しなければならない）ことが理解されよう。モニタモジュールの他の実施形態は、１〜１００（たとえば、１、２、４、５、６、７、８、９、１０、１１、１２、１３、１４または１５）のチャンネルを含むことができ、各々が１〜１００（たとえば、１、２、４、５、６、７、８、９、１０）の測定値を決定して、機械的システムの動作パラメータを監視することが可能である。加えて、モジュール式監視システム６０の他の実施形態は、たとえば、１〜５０、１〜２５、１〜１０、１〜８のモニタモジュールを含むことができる。
【００２２】
図３は、図２のモニタモジュール７４の実施形態の斜視図を示す。モニタモジュール７４の図示された実施形態は、オペレータによって携帯型試験器具に結合することができる、モニタモジュール７４の前面上に配設される、４つのバッファされた出力接続９０（たとえば、同軸接続または他の好適な接続）を含む。他の実施形態では、モニタモジュール７４は、任意の数のバッファされた出力接続９０を含むことができる。加えて、特定の実施形態では、モニタモジュール７４は、モニタモジュール７４の状態（たとえば、通常状態、警告状態、接続状態、バイパス状態、ノード電圧状態、「Ｎｏｔ  ＯＫ」状態、または同様の状態）を表すために使用することができ、モニタモジュール７４の前面上に配設されるいくつかの発光ダイオード（ＬＥＤ）９２を含むこともできる。
【００２３】
図３で示されるモニタモジュール７４は、モニタモジュール７４のオペレータに情報を表示するために使用することができる表示デバイス９４も含む。たとえば、表示デバイスは、液晶ディスプレイ（ＬＣＤ）、発光ダイオード（ＬＥＤ）、有機発光ダイオード（ＯＬＥＤ）、または別の好適なカラー表示デバイスであってもよい。さらに、モニタモジュール７４は、オペレータにより操作され、たとえば、グラフィカルユーザインターフェイス（ＧＵＩ）９８のいくつかのスクリーンのどれが表示デバイス９４上で現在表示されているのかを制御することができる、入力デバイス（たとえば、上矢印ボタン９５および下矢印ボタン９６）も含む。他の実施形態では、他の入力デバイス（たとえば、ボタン、ダイアル、キーボード、マウス、タッチスクリーン、または任意の他の好適な入力デバイス）を、モジュール７４とともに、追加または代替で使用することができる。下で詳細に議論されるように、ＧＵＩ９８は、モニタモジュール７４により現在監視されているチャンネルの名前、ならびにチャンネルの各々により現在収集されている測定値に関するグラフィック表示のためのスクリーンを含むことができる。
【００２４】
図２に示されるように、特定の実施形態では、ＧＵＩ９８を提示するために他のデバイスを使用できることが理解されよう。したがって、図４は、ＧＵＩ９８をオペレータに提示するために使用することができる、小さい、タブレットのようなデバイスであってもよい、携帯型監視デバイス７０の実施形態の斜視図を示す。同様に、図５は、スマートフォン、タブレット、ラップトップ、または同様のモバイル処理デバイスであってもよい、携帯型コンピューティングデバイス７２の実施形態の斜視図を示す。図４の携帯型監視デバイス７０および図５の携帯型コンピューティングデバイス７２の両方は、概して、ＧＵＩ９８の様々なスクリーンをそれぞれの表示デバイス９４上に提示するため、メモリに記憶された命令を実行するために使用することができるプロセッサを含むことができる。また、携帯型監視デバイス７０および携帯型コンピューティングデバイス７２は、ＧＵＩ９８を提示するために、デバイスが監視システム６０と通信することを可能にする通信回路（たとえば、無線ネットワーク回路）を含むことができる。加えて、携帯型監視デバイス７０および携帯型コンピューティングデバイス７２は、たとえば、ＧＵＩ９８のどのスクリーンが各デバイスの表示デバイス９４上にそれぞれ現在提示されるのかを制御するために、オペレータにより使用することができるユーザ入力１００を含むことができる。
【００２５】
図６は、図３のモニタモジュール７４、図４の携帯型監視デバイス７０、および／または図５の携帯型コンピューティングデバイス７２のそれぞれのディスプレイ９４のうちの１つまたは複数に表示することができる、ＧＵＩ９８の実施形態を示す。図６に示されるように、特定の実施形態では、ユーザ入力（たとえば、図３に示される上矢印ボタン９５または下矢印ボタン９６）を継続的に押すことにより、オペレータがＧＵＩ９８の全てのスクリーンを通して漸進的に巡回することができるように、ＧＵＩ９８は、連続するループに論理的に配置されるいくつかのスクリーンを含むことができる。図６に示されるように、第１のスクリーンは、モニタ（たとえば、モニタモジュール７４）により現在実施されている測定のタイプのリスト（たとえば、視覚表示）を含むことができる、測定タイプスクリーン１１２であってもよい。図示される実施形態に関し、測定タイプスクリーン１１２は、４つの測定タイプ、すなわち、測定タイプ１１４（すなわち、推力）、測定タイプ１１６（すなわち、偏心率）、測定タイプ１１８（すなわち、径方向振動）、および測定タイプ１２０（すなわち、速度）を含む。
【００２６】
図６に示されるＧＵＩ９８は、いくつかの直視型スクリーン１２２、すなわち、直視型スクリーン１２４、１２６、１２８、および１３０を含み、その各々が、特定の測定タイプ（たとえば、測定タイプ１１４、１１６、１１８、１２０のうちの１つ）にそれぞれ関連することができる。たとえば、図６の直視型スクリーン１２４は、３つのグラフィック表示（たとえば、棒グラフ１３１、１３２、および１３３）を図示し、各々が、モニタモジュール７４の異なるチャンネルにより現在決定されている、異なる全体的な推力測定値を表す。具体的な例で、全体的な測定値１３１、１３２、および１３３の各々は、監視される機械的システム１２の３つの異なる構成要素に関し、モニタモジュール７４により決定される全体または累積推力測定値を提供することができる。加えて、図示される直視型スクリーン１２４は、直視型スクリーン１２４上に図示される全体的な測定値１３１、１３２、および１３３に関して数値を提示するために使用することができる、実時間値（ＲＶ）部１３４を含む。他の実施形態では、グラフィック表示は、上に議論した表示デバイス９４上に提示することができる、線グラフ、パイチャート、ベン図、または任意の他の好適なグラフィック表示であってもよいことが理解されよう。議論された直視型スクリーン上のデータ（たとえば、データの尺度、単位、目盛など）の提示は、例示のためであり、図示された測定値に関する特定の値または相対的な値を伝えることによって本開示を限定する意図はないことも理解されよう。
【００２７】
図６のＧＵＩ９８に図示された、図示された全体的な測定値（たとえば、全体的な測定値１３１、１３２、および１３３）は、モニタモジュール７４の１つまたは複数のチャンネルにより決定される、特定の測定タイプ（たとえば、推力）の動作パラメータを各々表すことができることが理解されよう。言い換えると、全体的な測定値１３１、１３２、および１３３は、上で議論したように、１つまたは複数のセンサからの入力に基づいて、各チャンネルにより決定することができる、いくつかの基礎となる測定値の最高点を各々表すことができる。特定の実施形態では、ＧＵＩ９８は、各チャンネルにより決定される測定値の各々に関する、追加のスクリーンを含むことができることをさらに理解されよう。たとえば、特定の実施形態では、モニタモジュール７４の各チャンネルが８個の測定値（たとえば、全体振幅、ギャップ電圧、１×フィルタ処理済み振幅、２×フィルタ処理済み振幅、１×フィルタ処理済み位相、２×フィルタ処理済み位相、ＮＯＴ１×振幅、およびＳｍａｘ）を含む場合、図６に示されるＧＵＩ９８内の各全体的な直視型スクリーン（たとえば、直視型スクリーン１２４、１２６、１２８、および１３０）の後に、７個の追加の直視型スクリーンを挿入することができる。さらに、そのような実施形態に関し、追加スクリーンの各々は、同じ測定タイプの複数の測定値を図示することができることが理解されよう。図示された実施形態に関し、全体的な推力直視型スクリーン１２４が、棒グラフ１３１、１３２、および１３３によって、推力測定タイプ１１４の３つの異なる全体的な測定値を図示するので、推力測定タイプ１１４に関連する各追加スクリーン（たとえば、ギャップ電圧スクリーン、１×フィルタ処理済み振幅スクリーン、２×フィルタ処理済み振幅スクリーン、１×フィルタ処理済み位相スクリーン、２×フィルタ処理済み位相スクリーン、ＮＯＴ１×振幅スクリーン、およびＳｍａｘスクリーン）は、監視される機械的システム１２の異なる構成要素の測定値に各々が対応する、３つの棒グラフを同様に含むことができる。
【００２８】
図６に示されるように、直視型スクリーン１２６は、偏心率測定タイプ１１６の全体的な測定値をグラフィックに図示する、棒グラフ１３５、および１３６を含む。さらに、直視型スクリーン１２４のように、図示された直視型スクリーン１２６は、棒グラフ１３５および１３６により図示される全体的な測定値に関する数値を提示するために使用することができる、ＲＶ部１３８を含む。図示された直視型スクリーン１２８は、径方向の振動測定タイプ１１８の全体的な測定値を表す、棒グラフ１３９、１４０、１４１、および１４２を含む。直視型スクリーン１２８は、ＲＶ部１４４をさらに含み、棒グラフ１３９、１４０、１４１、および１４２により図示される全体的な測定値に関する数値を提示する。さらに、図示された直視型スクリーン１３０は、速度測定タイプ１２０の単一の全体的な測定値を表す棒グラフ１４６、ならびに棒グラフ１４６により図示される全体的な測定値に関する数値を提示するＲＶ部１４８を含む。そのため、直視型スクリーン１２２のうちのいずれかが、任意の数（たとえば、１、２、３、４、５、６、７、８、９、１０またはこれ以上）のグラフィック表示（たとえば、棒グラフ）を含み、同じ測定タイプの複数の測定値を図示することができることが理解されよう。
【００２９】
加えて、上に記載のように、オペレータが、たとえば、図３に示されたユーザ入力９５および／または９６を使用して、ＧＵＩ９８の様々なスクリーンにわたってナビゲートすることができる。そのため、図６の実施形態に関して図示されるように、ＧＵＩ９８は、スクリーン１１２、１２４、１２６、１２８、および１３０の各々を互いに接続する、いくつかの矢印１５０を含み、オペレータにより提供される入力に基づいて、その次にどのスクリーンを提示することができるのかを表す。たとえば、図６の実施形態に関して図示されるように、スクリーン１１２を見ると、ＧＵＩ９８が下矢印ボタン９６からオペレータ入力を受け取る場合、ＧＵＩ９８は、スクリーン１１２の提示を中止することができ、スクリーン１２４を提示することに進むことができる。次いで、ＧＵＩ９８がスクリーン１２４を提示しているとき、ＧＵＩ９８が下矢印ボタン９６からオペレータ入力を再び受け取る場合、ＧＵＩ９８は、ディスプレイ９４にスクリーン１２６を提示させることができる。しかし、ＧＵＩ９８がスクリーン１２４を提示しているとき、ＧＵＩ９８が代わりに上矢印ボタン９５からオペレータ入力を受け取る場合、ＧＵＩ９８は、ディスプレイ９４にスクリーン１１２を再び提示させることができる。そのため、矢印１５０により示されるように、ＧＵＩ９８は、たとえば単一のユーザ入力（たとえば、上矢印ボタン９５または下矢印ボタン９６）を使用することで、オペレータがＧＵＩ９８の様々なスクリーンにわたって巡回することができる連続するループとして論理的に配置することができる。図６により示されるレイアウトは、単に例として提供されており、特定の実施形態では、スクリーンの他の配置および／またはスクリーン上の要素の他の配置が、ＧＵＩ９８内で利用できることが理解されよう。
【００３０】
上記のことを念頭に置いて、オペレータがＧＵＩ９８の特定のスクリーンを見ているとき、提示されうる情報の量が、たとえば表示デバイス９４のサイズにより制限される可能性があることが理解されよう。たとえば、オペレータが図６に示される測定タイプスクリーン１１２を見ているとき、オペレータは、ＧＵＩ９８の直視型スクリーン１２８上に含まれる情報を同時に見ることができない可能性がある。そのため、図６に示されるように、測定タイプスクリーン１１２を見ているオペレータは、直視型スクリーン１２８に関連する径方向振動測定タイプ１１８が異常状態を経験している１つまたは複数の測定値を有することに気づかない可能性がある。本明細書で使用する、異常状態とは、たとえば、現在警報を発している状態（たとえば、所定の閾値を現在超えている値を有している測定値）、ラッチされた警報状態（たとえば、所定の閾値を以前に超えた値を有し、警報が解除されていない測定値）、バイパス状態（たとえば、一時的に決定されていない測定値）、または通常もしくは健全な状態でない任意の他の状態のことを言うことができる。そのため、本実施形態は、ＧＵＩ９８のスクリーン（たとえば、測定タイプスクリーン１１２）の提示内に追加の情報を符号化する方法を可能にし、そのため、オペレータは、決定される様々な測定タイプの状態に関する追加情報を収集することを可能にすることができる。
【００３１】
たとえば、図７〜図１３は、図６に示される直視型スクリーン１２４の実施形態を示す。すなわち、図７〜図１３は、オペレータが、特定の測定値が異常状態（たとえば、現在警報を発している状態、ラッチされた警報状態、バイパス状態、または任意の他の異常状態）を有することを確認するために、直視型スクリーン１２４Ａ〜Ｇのいずれかを見ることを可能にすることができる、視覚インジケータを有する直視型スクリーン１２４Ａ〜Ｇを示す。さらに、下で詳細に記載されるように、特定の実施形態では、視覚インジケータは、１つまたは複数の測定値が経験している異常状態の重大度（たとえば、異常状態自体に基づいて、測定値が異常状態を経験している時間量、測定値がどれだけ閾値を超えた値に達したのか、または重大度の同様の表示）をオペレータに伝えることもできる。特定の実施形態では、視覚インジケータは、図７〜図１３で、下に記載される視覚効果および強調のいずれかの任意の１つまたは複数の組合せを含むことができることが理解されよう。加えて、特定の実施形態では（たとえば、表示デバイスがタッチスクリーンデバイスである、またはマウスなどのポインティングデバイスを含むとき）、オペレータは、開示された視覚インジケータと（たとえば、タッチまたはマウスクリックによって）直接相互作用して、ＧＵＩ９８が、視覚インジケータに対応する測定値を直ちに提示することができる。
【００３２】
上記のことを念頭に置いて、図７は、ＧＵＩ９８の直視型スクリーン１２４Ａの実施形態のスクリーン表示である。図６に関して上で議論したように、直視型スクリーン１２４Ａは、棒グラフ１３１、１３２、および１３３ならびに関連するＲＶ部１３４を含み、その値は、推力測定タイプ１１４の全体的な測定値に対応する。しかし、上に議論した特徴に加えて、直視型スクリーン１２４Ａは、視覚インジケータ１６０Ａおよび１６２Ａを含む。図示された視覚インジケータ１６０Ａは、チャンネル識別部（たとえば、「Ｃｈ  １」）および測定識別部（たとえば、「ギャップＡ」）を含む、テキスト「Ｃｈ  １：ギャップＡ」を含む。したがって、視覚インジケータ１６０Ａは、チャンネル１の特定の測定値（たとえば、「ギャップＡ」測定値）が異常状態を有することを示す。視覚インジケータ１６２Ａは、チャンネル２の特定の測定値（たとえば、１×フィルタ処理済み振幅測定値）が異常状態を有することを示す、テキスト「Ｃｈ  ２：１×Ｄ」を含む。
【００３３】
たとえば、図７の直視型スクリーン１２４Ａを見ているオペレータは、直視型スクリーン１２４Ａに関連する全体的な推力測定値を見ることに加えて、直視型スクリーン１２４Ａ上に提示されない測定値を含む、１つまたは複数の測定値の異常状態に直ちに気づくこともできる。図示された視覚インジケータ（たとえば、視覚インジケータ１６０Ａおよび１６２Ａ）は、直視型スクリーン（たとえば、直視型スクリーン１２４Ａの要素１３２および１３４）に関連する測定値の通常の提示に干渉しない（たとえば、覆い隠さない）やり方で提示されることも理解されよう。下で議論されるように、特定の実施形態では、視覚インジケータ１６０Ａおよび１６２Ａは、示される測定値が異常状態を経験するときのみ、直視型スクリーン１２２の各々に選択的に提示することができ、異常状態が解消されたとき、取り除くことができる。
【００３４】
図８に示される直視型スクリーン１２４Ｂの実施形態に関し、図示される直視型スクリーン１２４Ｂに関連する測定値は、棒グラフ１３１、１３２、および１３３（ならびにＲＶ部１３４）により表される。加えて、直視型スクリーン１２４Ｂは、特定の測定値が異常状態を経験していることをそれぞれ示す、視覚インジケータ１６０Ｂおよび１６２Ｂを含む。特に、視覚インジケータ１６０Ｂは、チャンネル１の「ギャップＡ」測定値により経験される異常状態の重大度を示すために、測定識別部（たとえば、「ギャップＡ」）が、特定のフォント色１７０で提示される、テキスト「Ｃｈ  １：ギャップＡ」を含む。視覚インジケータ１６２Ｂは、チャンネル２の特定の測定値（たとえば、１×フィルタ処理済み振幅測定値）の異常状態の重大度を示すために、測定識別部（たとえば、「１×Ｄ」）が、特定のフォント色１７２で提示される、テキスト「Ｃｈ  ２：１×Ｄ」を含む。他の実施形態では、チャンネル（たとえば、「Ｃｈ  １：」および「Ｃｈ  ２：」）を識別する視覚インジケータ１６０Ｂおよび１６２Ｂのチャンネル識別部が、チャンネルの識別に関連する（たとえば、特定のチャンネル用の全てのチャンネル識別部が共通の色を有する）、または各視覚インジケータの測定識別部を提示するために使用されるフォント色と一致することができる特定のフォント色を有することもできる。
【００３５】
図８で示される直視型スクリーン１２４Ｂに関し、視覚インジケータ１６０Ｂおよび１６２Ｂの測定識別部および／またはチャンネル識別部を提示するために使用されるフォント色１７０および１７２は、異常状態の重大度に関して、オペレータに追加情報を提供できることが理解されよう。たとえば、特定の実施形態では、視覚インジケータ１６０Ｂは、チャンネル１の「ギャップＡ」測定値により経験されている異常状態がバイパス状態であることをオペレータに伝えることができる、黄色のフォント色１７０を含むことができる。さらなる例で、特定の実施形態では、視覚インジケータ１６２Ｂは、チャンネル２の「１×Ｄ」測定値（たとえば、１×フィルタ処理済み振幅測定値）により経験されている異常状態がラッチされた警報状態であることをオペレータに伝えることができる、赤色のフォント色１７２を含むことができる。そのため、視覚インジケータ１６０Ｂおよび１６２Ｂを見ると、オペレータは、どの測定値が異常状態を経験しているかということ、ならびに異常状態の重大度の表示を迅速に確認することができる。たとえば、特定の実施形態では、漸進的に増加する色の明るさ（たとえば、暗赤色から明赤色）を使用して、状態の漸進的に増加する重大度（たとえば、バイパス状態から現在警報を発している状態）を伝えることができる。さらに、特定の実施形態では、異常状態の重大度は、追加または代替で、測定値が異常状態を経験した時間量、測定値がどれだけ閾値を超えた値に達したのか、または重大度の同様の表示に依存する場合がある。上および下で記載される特定の色は、単に例として提供されており、特定の実施形態では、任意の色（たとえば、赤、オレンジ、黄色、緑、青、紫、または任意の他の好適な色）を使用して、異常状態の重大度を示すことができることを理解されたい。
【００３６】
しかし、１つまたは複数の異常状態の重大度に関して情報を提供するために、他の色を視覚インジケータ内で使用することもできることが理解されよう。たとえば、図９で示されるように、直視型スクリーン１２４Ｃは、チャンネル１の「ギャップＡ」測定値、およびチャンネル２の「１×Ｄ」測定値（たとえば、１×フィルタ処理済み振幅測定値）により経験されている異常状態をそれぞれ示す、視覚インジケータ１６０Ｃおよび１６２Ｃを含む。特に、視覚インジケータ１６０Ｃおよび１６２Ｃは、異常状態を経験している識別された測定値の重大度を反映させるための、特定の背景色（たとえば、背景色１７４および１７６）をそれぞれ含む。たとえば、特定の実施形態では、視覚インジケータ１６０Ｃは、識別された測定値がラッチされた警報状態を有することを示すオレンジの背景色１７４を有することができ、一方、視覚インジケータ１６２Ｃは、現在警報を発している状態を示す紫の背景色１７６を有することができる。他の実施形態では、他のタイプの色（たとえば、前景色、枠線色など）ならびに他の色（赤、オレンジ、緑、青、紫など）も使用して、視覚インジケータ（たとえば、視覚インジケータ１６０Ｃおよび１６２Ｃ）内の異常状態の重大度を伝えることができることが理解されよう。
【００３７】
図１０は、視覚インジケータ１６０Ｄおよび１６２Ｄがチャンネル名ならびに異常状態の重大度を伝えるためのフォント強調を含む、直視型スクリーン１２４Ｄの代替実施形態のスクリーン表示である。すなわち、視覚インジケータ１６０Ｄおよび１６２Ｄの各々は、異常状態を経験している測定タイプ（たとえば、測定タイプ１１４、１１６、１１８、または１２０）の識別子（たとえば、プレーンテキスト名）をそれぞれ含む。特に、視覚インジケータ１６０Ｄおよび１６２Ｄのチャンネル識別部は、推力測定タイプ１１４の測定を実施する両方のチャンネルを示すために、テキスト「推力」を含む。他の開示される実施形態で使用される「Ｃｈ  １」および「Ｃｈ  ２」のチャンネル識別とは反対に、視覚インジケータ１６０Ｄおよび１６２Ｄは、直視型スクリーン１２４Ｄを見るオペレータがどの測定タイプが異常状態の測定値を有するのかをより迅速に確認するのを支援することができる、（たとえば、図６の測定タイプスクリーン１１２にリスト化されるような）測定タイプ情報を提供する。他の実施形態では、異常状態を経験している測定値のチャンネルおよび／または測定タイプの明確な識別を同様に提供することができる、チャンネルまたは測定タイプ識別（たとえば、特定の監視される機器または特定の測定値を表す画像またはアイコン）に他の表示を使用できることが理解されよう。
【００３８】
さらに、視覚インジケータ１６０Ｄおよび１６２Ｄにより図示されるように、視覚インジケータ１６０Ｄおよび１６２Ｄの測定識別部（たとえば、視覚インジケータ１６０Ｄに関する「ギャップＡ」、および視覚インジケータ１６２Ｄに関する「１×Ｄ」）は、経験されている異常状態の重大度を伝えるために、特定のフォント強調をそれぞれ含む。たとえば、視覚インジケータ１６０Ｄの図示される測定識別部（たとえば、「ギャップＡ」）は、特定の実施形態で、識別された「推力」測定タイプ（たとえば、図６に示される測定タイプ１１４）の「ギャップＡ」測定値がラッチされた警報状態を有することを示すことができる、太字のフォント強調１７８を有する。さらなる例で、視覚インジケータ１６２Ｄの図示される測定識別部（たとえば、「１×Ｄ」）は、特定の実施形態で、識別された「推力」測定タイプの識別された「１×Ｄ」測定値（たとえば、１×フィルタ処理済み振幅測定値）が現在警報を発している状態を有することを示すことができる、太字および下線の両方のフォント強調１８０を有する。記載されたフォント強調は、単に例として提供されており、他の実施形態では、太字、下線、多重下線、取り消し線、２重取り消し線、特定のフォントの使用、特定のフォントサイズの使用、全大文字使用、または他の好適なフォント強調を含むフォント強調を使用して測定値の異常状態の重大度を伝えることができることを理解されたい。
【００３９】
図１１は、異常状態のそれぞれの重大度を伝えるために、視覚インジケータ１６０Ｅおよび１６２Ｅが枠線強調を含む、直視型スクリーン１２４Ｅの実施形態のスクリーン表示である。たとえば、図１１に示されるように、直視型スクリーン１２４Ｅは、なんら追加の枠線を含まない視覚インジケータ１６０Ｅを含み、このことを使用して、「ギャップＡ」測定値の異常状態が比較的低い重大度（たとえば、バイパス状態）を有する可能性があることをオペレータに伝えることができる。対照的に、視覚インジケータ１６２Ｅは、視覚インジケータ１６２Ｅの測定識別部を囲む３つの枠線１８２を含み、このことを使用して、「１×Ｄ」測定値の異常状態が比較的高い重大度（たとえば、現在警報を発している状態）を有する可能性があることをオペレータに伝えることができる。上に記載された枠線は、単に、枠線強調の例として提供されており、特定の実施形態では、異常状態の重大度は、いくつかの枠線（たとえば、０、１、２、３、４、５、またはより多くの層をなした枠線）、１つまたは複数の枠線の太さ、１つまたは複数の枠線の色、１つまたは複数の枠線の形状（たとえば、矩形、円形、楕円形、三角形、六角形、正方形など）、１つまたは複数の枠線のスタイル、枠線アニメーション（たとえば、点滅）、または他の好適な枠線強調によって伝えることができることが理解されよう。
【００４０】
図１２は、視覚インジケータそれぞれの異常状態の重大度を伝えるために、視覚インジケータ１６０Ｆおよび１６２Ｆがアニメーション化された強調を含む、直視型スクリーン１２４Ｆの実施形態のスクリーン表示である。たとえば、線１８４および１８６により示されるように、視覚インジケータ１６０Ｆおよび１６２Ｆの測定識別部は、それらが点滅する、ストローブする、フラッシュする、いくつかの経路を動く（たとえば、左右、上下、円形路、ランダムな経路など）、またはアニメーション化された強調の別の好適な形態をとるようにアニメーション化することができる。さらに、アニメーションの速度、アニメーションの色などを使用して、示される測定値により経験されている異常状態の重大度を伝えることができる。たとえば、特定の実施形態では、視覚インジケータ１６０Ｆの測定識別部は、（たとえば、線１８４によって示されるように）比較的遅い速度で点滅することができ、このことによって、「ギャップＡ」測定値が比較的低い重大度（たとえば、バイパス状態）を有する可能性があることを示すことができる。さらなる例で、特定の実施形態では、視覚インジケータ１６２Ｆの測定識別部は、（たとえば、線１８６によって示されるように）比較的速い速度で点滅することができ、このことによって、「１×Ｄ」測定値が比較的高い重大度（たとえば、現在警報を発している状態）を有する可能性があることを示すことができる。記載されたアニメーションは、単に例として提供されており、特定の実施形態では、任意のアニメーション（たとえば、アニメーション化されたチャンネル名、アニメーション化された枠線、アニメーション化されたまたは変化する前景色／背景色、または別の好適なアニメーション化された強調）を使用して、１つまたは複数の測定値により経験されている異常状態の重大度を伝えることができることが理解されよう。
【００４１】
図１３は、異なる測定値により経験されている異常状態のそれぞれの重大度を伝えるために、視覚インジケータ１６０Ｇおよび１６２Ｇが記号強調を含む、直視型スクリーン１２４Ｇの実施形態のスクリーン表示である。たとえば、図１３に示されるように、視覚インジケータ１６０Ｇの測定識別部は、追加の記号１８８（たとえば、アスタリスク）を含み、このことによって、示される測定値が比較的低い重大度の異常状態（たとえば、バイパス状態）を有することを表すことができる。さらなる例で、図示される視覚インジケータ１６２Ｇは、追加の記号１９０（たとえば、感嘆符）も含み、このことによって、示される測定値が比較的高い重大度の異常状態（たとえば、ラッチされた警報状態）を有することを表すことができる。他の実施形態では、追加の記号が複数の記号を含むことができ、たとえば、１つのアスタリスクを有する測定値は、２つのアスタリスク、３つのアスタリスク、などを有する測定値よりも低い相対的な重大度を有することができる。別の実施形態では、記号強調は、異常状態を分類または体系化することができる（たとえば、「Ａ」記号または数字「１」を有する測定値が最も高い重大度を有することができる、「Ｂ」記号または数字「２」を有する測定値がわずかに低い重大度を有することができる、などである）。他の実施形態では、記号のサイズが状態の重大度を示すことができる。さらに他の実施形態では、記号を使用して、状態の重大度を伝えるための数値（たとえば、１〜９）を伝えることができる。これらは単に例として提供されており、他の実施形態では、記号強調の任意の好適な方法を適用できることが理解されよう。
【００４２】
図１４は、少なくともその１つが異常状態を経験しているいくつかの「１×Ｄ推力」測定値に関連する直視型スクリーン２００の実施形態のスクリーン表示である。すなわち、例では、オペレータに、任意の測定値が異常状態に入る前、最初に、図６に示されるように直視型スクリーン１２４を用いて提示することができる。続いて、図１３に見られるように、直視型スクリーン１２４Ｇに、かつて、１つまたは複数の「ギャップＡ」および１つまたは複数の「１×Ｄ」測定値が、それぞれ異常状態を経験したことを提示することができる。そのような例に関し、特定の実施形態では、オペレータが異常状態（たとえば、ラッチされた警報状態）を有する特定の測定値に関連する直視型スクリーンにナビゲートするとき、オペレータに、図１４に示される直視型スクリーン２００を用いて提示することができる。図１４の直視型スクリーン２００は、棒グラフ２０１、２０２、および２０３、ならびに、「１×Ｄ推力」測定値に関する現在の値の表示を提供する、ＲＶ値部２０４を含む。さらに、「ギャップＡ」および「１×Ｄ」測定値の両方の異常状態が残り続けるので、図示される直視型スクリーン２００は、図１３に記載される視覚インジケータ１６０Ｇおよび１６２Ｇを含む。そのため、図１４により示されるように、視覚インジケータ１６０Ｇおよび１６２Ｇを、異常状態が解消されるまで、ＧＵＩ９８内の各直視型スクリーン１２２上に提示することができる。他の実施形態では、視覚インジケータ（たとえば、視覚インジケータ１６０Ｇ）は、それが現在表示されている直視型スクリーン（たとえば、直視型スクリーン２００）に対応すると、提示されない場合がある。
【００４３】
上の例により続けると、特定の実施形態では、オペレータが図１４の直視型スクリーン２００を見ているときに、１つまたは複数の問題となっている「１×Ｄ推力」測定値の状態が、正規の状態（たとえば、通常または健全）に戻る場合、異常状態に関連する視覚インジケータ１６２Ｇを取り除くことができる。具体的な例で、図１４の直視型スクリーン２００を見ているオペレータが、１つまたは複数の「１×Ｄ推力」測定値により経験されているラッチされた警報状態をクリアする場合、オペレータに、図１５の直視型スクリーン２００をその後提示することができる。図１５により示されるように、直視型スクリーン２００は、ここで、チャンネル１に関連する１つまたは複数の「ギャップＡ」測定値の異常状態に関し、単一の視覚インジケータ１６０Ｇのみを含む。ある種の異常状態は、オペレータの介入なしに解消することができる（たとえば、測定再開が決定されると、バイパス状態が取り除かれる）ことも理解されよう。
【００４４】
本発明の技術的な効果としては、工業用監視システムの表示デバイス上に表示されるＧＵＩのスクリーンからより多くの情報をオペレータが収集できることが挙げられる。たとえば、本手法は、（たとえば、見られている直視型スクリーンとは異なる直視型スクリーンに対応する）１つまたは複数の測定値が異常状態を経験していることを、オペレータが視覚的に確認することを可能にする。本手法は、様々な視覚効果（たとえば、フォント色、背景色、フォント強調、アニメーション化された強調、枠線強調、記号強調など）の使用をさらに提供して、全てが測定データの通常の表示を干渉することなく、異常状態の各々の重大度をオペレータに伝える。したがって、本手法は、オペレータに、異常状態を経験している測定値を直ちに気づかせることを可能にし、それゆえ、監視される機械的システムの任意の可能性のある問題にオペレータがより迅速に対処することを可能にする。
【００４５】
本明細書は例を使用して、最良の形態を含め、本発明を開示し、任意の当業者が任意のデバイスまたはシステムを製作および使用し、任意の組み込んだ方法を実施することを含め、本発明を実施することを可能にもする。本発明の特許性のある範囲は、特許請求の範囲により規定され、当業者に想到される他の例を含むことができる。そのような他の例が特許請求の範囲の逐語的な文言と異ならない構成要素を有する場合、またはそのような他の例が特許請求の範囲の逐語的な文言と実質的に異ならない等価な構成要素を含む場合、そのような他の例は、特許請求の範囲に入ることを意図する。
【符号の説明】
【００４６】
１０  工業用監視システム
１２  ガスタービンシステム
１４  資産状況モニタ
１６  プロセッサ
１８  メモリ
２０  隙間センサ、近接プローブ
２２  速度変換器、センサ
２４  加速度計、センサ
２６  振動センサ、地震センサ
２８  圧力センサ
３０  温度センサ
３２  回転速度センサ
３４  径方向の振動
３６  径方向の位置
３８  軸方向の位置
４０  偏心率
４２  地震振動
４４  シャフト位置
４６  伸び差
４８  回転子速度
５０  回転子加速度
５２  温度
６０  モジュール式資産状況監視システム
６１  電源モジュール
６２  システムモニタ、一時的データインターフェイス（ＴＤＩ）
６４  他の監視システム
６６  制御システム
６８  コンピュータワークステーション
７０  携帯型監視デバイス
７２  携帯型コンピューティングデバイス
７４  モニタモジュール
７６  モニタモジュール
７８  モニタモジュール
８０  モニタモジュール
９４  表示デバイス
９５  上矢印ボタン、ユーザ入力
９６  下矢印ボタン、ユーザ入力
９８  ＧＵＩ
１００  ユーザ入力
１１２  測定タイプスクリーン
１１４  推力測定タイプ
１１６  偏心率測定タイプ
１１８  径方向振動測定タイプ
１２０  速度測定タイプ
１２４  直視型スクリーン
１２４Ａ〜１２４Ｇ  直視型スクリーン
１２６  直視型スクリーン
１２８  直視型スクリーン
１３０  直視型スクリーン
１３１  棒グラフ、全体的な測定値
１３２  棒グラフ、全体的な測定値
１３３  棒グラフ、全体的な測定値
１３４  実時間値（ＲＶ）部
１３５  棒グラフ
１３６  棒グラフ
１３８  ＲＶ部
１３９  棒グラフ
１４０  棒グラフ
１４１  棒グラフ
１４２  棒グラフ
１４４  ＲＶ部
１４６  棒グラフ
１４８  ＲＶ部
１６０Ａ〜１６０Ｇ  視覚インジケータ
１６２Ａ〜１６２Ｇ  視覚インジケータ
１７０  フォント色
１７２  フォント色
１７８  フォント強調
１８０  フォント強調
１８２  枠線
１８４  線
１８６  線
１８８  記号
１９０  記号
２００  直視型スクリーン
２０１  棒グラフ
２０２  棒グラフ
２０３  棒グラフ
２０４  ＲＶ値部
【図１】
2015032305.tif 000003
【図２】
2015032305.tif 000004
【図３】
2015032305.tif 000005
【図４】
2015032305.tif 000006
【図５】
2015032305.tif 000007
【図６】
2015032305.tif 000008
【図７】
2015032305.tif 000009
【図８】
2015032305.tif 000010
【図９】
2015032305.tif 000011
【図１０】
2015032305.tif 000012
【図１１】
2015032305.tif 000013
【図１２】
2015032305.tif 000014
【図１３】
2015032305.tif 000015
【図１４】
2015032305.tif 000016
【図１５】
2015032305.tif 000017
【外国語明細書】
2015032305000001.pdf